(57)【要約】【課題】入賞装置の開閉部材を開閉させるリンク機構を、必要に応じて作動不能に固定する。【解決手段】パチンコ機は、第１入賞口２０ａに入賞した遊技球の流下経路に配置され、遊技球の重量により作動するリンク機構４０と、このリンク機構４０に連動して開閉することで第２入賞口を拡縮する一対の羽根３２,３２とを備えている。リンク機構４０は、一対の羽根３２,３２と連動して往復変位するレバー３８の上面に相対して配置した連動部４６が、リンク機構４０の作動によりレバー３８を下方へ作動させる。また、裏樋部材１６の裏側に位置してリンク機構４０を覆うカバー部材１８に、リンク機構４０の作動領域に対して固定部材５０が進退可能に設けられる。そして、リンク機構４０の作動領域に臨んだ固定部材５０のリンク機構４０への当接により、リンク機構４０を連動部４６がレバー３８の上面に相対する姿勢で作動不能に固定している。【選択図】図１
2007252633.tif 000002
【特許請求の範囲】
【請求項１】
遊技盤の裏側に配設され、該遊技盤の遊技領域に開口する入賞口から入賞した遊技球の重量により作動するリンク機構と、遊技領域に配設され、前記リンク機構に連動して開閉することで入賞口を拡縮する開閉部材と、遊技盤の裏側に配設され、前記入賞口に入賞した遊技球を案内する流下経路を画成した裏樋部材とを備えた遊技機において、
前記リンク機構は、
前記入賞口に入賞した遊技球の流下経路に配置され、流下する遊技球により作動される作動部と、
前記遊技盤の裏側に突出して、前記開閉部材と連動して往復変位するレバーの一面に相対して配置され、前記作動部の作動により該レバーを一方へ作動させる連動部とからなり、
前記裏樋部材の裏側に位置して前記リンク機構を覆うカバー部材に、前記リンク機構の作動領域に対して固定手段を進退可能に設け、該リンク機構の作動領域に臨んだ固定手段のリンク機構への当接により該リンク機構を前記連動部が前記レバーの一面に相対する姿勢で作動不能に固定するよう構成した
ことを特徴とする遊技機。
【請求項２】
遊技盤の遊技領域に設けた第１入賞装置と、該遊技盤の遊技領域に設けられ、対向する一対の羽根の開閉により遊技球が入賞する入賞口を拡縮する第２入賞装置と、遊技盤の裏側に配設され、第１入賞装置に入賞した遊技球の重量により作動して、第２入賞装置の羽根を開放するリンク機構と、遊技盤の裏側に配設され、各入賞装置に入賞した遊技球を案内する流下経路を画成した裏樋部材とを備える遊技機において、
前記第２入賞装置は、前記遊技盤の裏側に突出し、前記一対の羽根と連動して往復変位するレバーを有し、
前記リンク機構は、
前記第１入賞装置に入賞した遊技球の流下経路に配置され、流下する遊技球により作動される作動部と、
前記第２入賞装置におけるレバーの一面に相対して配置され、前記作動部の作動により該レバーを一方へ作動させる連動部とからなり、
前記裏樋部材の裏側に位置して前記リンク機構を覆うカバー部材に、前記リンク機構に対して当接する固定手段を退避可能に設け、この固定手段のリンク機構への当接により該リンク機構を前記連動部が前記レバーの一面に相対する姿勢で作動不能に固定するよう構成した
ことを特徴とする遊技機。
【請求項３】
前記入賞口が、前記遊技領域に複数設けられると共に、各入賞口に対応して前記リンク機構を夫々備え、これら複数のリンク機構の作動部に対して前記固定手段を共通的に当接可能に配設した請求項１または２記載の遊技機。
【請求項４】
前記リンク機構は、前記裏樋部材に組付けられるベース部材に配設されている請求項１〜３の何れかに記載の遊技機。
【発明の詳細な説明】
【技術分野】
【０００１】
この発明は、遊技盤の裏側に配設され、該遊技盤の遊技領域に開口する入賞口から入賞した遊技球の重量により作動するリンク機構と、遊技領域に配設され、リンク機構に連動して開閉することで入賞口を拡縮する開閉部材と、遊技盤の裏側に配設され、前記入賞口に入賞した遊技球を案内する流下経路を画成した裏樋部材とを備える遊技機に関するものである。
【背景技術】
【０００２】
遊技機の一種として、チャッカーと呼ばれる入賞装置とチューリップと呼ばれる開閉機構付きの入賞装置との連動で持ち玉を増やしていくというゲーム性を有する所謂普通機がある(例えば、特許文献１参照)。チューリップは、遊技球を受容する入賞口を挟んで左右方向に対向配置されて、下端部を支点として揺動可能に配設した一対の羽根を備え、これら一対の羽根をリンク機構により開閉することで、入賞口を拡幅または縮小して、当該入賞口への遊技球の流入を許容または規制している。このような普通機では、リンク機構として、ソレノイド等の電動駆動手段で作動するものではなく、チャッカーまたはチューリップに入賞した遊技球の重量を利用して作動して、羽根を開閉するものが採用される(例えば、特許文献１参照)。
【０００３】
特許文献１に開示されたリンク機構は、入賞口から受入れた遊技球の流下に伴って、流下経路に突出した作動レバーが押下げられ、これに連動して揺動アーム、ピン歯車および開作動アームが作動して一対の羽根を開放する構成である。このリンク機構は、開作動アームの一端部が、遊技盤の裏面に突出したチューリップにおける係合ピンの上側に配置され、遊技球の流下による作動レバーの作動に連動して該開作動アームの一端部が、係合ピンを押下げつつ下方に変位される。そして、チューリップにおける一対の羽根は、係合ピンと連動して開放動作を行なう構成であって、係合ピンを下方に変位することで、一対の羽根が互いに離間する方向へ回動して入賞口が拡開される。これに対して、開放状態において入賞口から遊技球を受入れることで、一対の羽根は互いに近接する方向に回動して入賞口が縮小されると共に、係合ピンが上方に変位することで、開作動アームを元の位置まで押上げるようになっている。
【特許文献１】実公平２−２９９８０号公報
【発明の開示】
【発明が解決しようとする課題】
【０００４】
このように構成したリンク機構では、リンク機構の開作動アームとチューリップの係合ピンとの上下関係が入替わると羽根が開閉しないため、これらの配置関係が肝要である。ところで、リンク機構は、流下する遊技球の重量を利用すると云う機能上、各部材が揺動または回動可能な自由状態で配設される。すなわち、製造過程において、リンク機構を組付けた後、これらリンク機構が何等かの拍子に作動してしまい、その後組付けられるチューリップの係合ピンと開作動アームとの配置関係が上下逆となり、羽根が開閉不能となる不都合が指摘される。反対に、チューリップを組付けた後にリンク機構を組付ける場合であっても、前述した如くリンク機構が自由状態にあるので、リンク機構の開作動アームとチューリップの係合ピンとの上下関係が入替わるおそれがある。しかも、リンク機構が振動その他に起因して作動してしまい、羽根が意図せず開放され、他の組付け作業に干渉する可能性もある。
【０００５】
すなわち本発明は、従来の技術に係る遊技機に内在する前記問題に鑑み、これらを好適に解決するべく提案されたものであって、入賞口における羽根等の開閉部材を開閉させるリンク機構を、必要に応じて作動不能に固定し得る遊技機を提供することを目的とする。
【課題を解決するための手段】
【０００６】
前記課題を克服し、所期の目的を達成するため、本願の請求項１に係る発明の遊技機は、
遊技盤(10)の裏側に配設され、該遊技盤(10)の遊技領域(10a)に開口する入賞口(20a)から入賞した遊技球(Y)の重量により作動するリンク機構(40)と、遊技領域(10a)に配設され、前記リンク機構(40)に連動して開閉することで入賞口(30a)を拡縮する開閉部材(32,32)と、遊技盤(10)の裏側に配設され、前記入賞口(20a,30a)に入賞した遊技球(Y)を案内する流下経路(17)を画成した裏樋部材(16)とを備えた遊技機において、
前記リンク機構(40)は、
前記入賞口(20a)に入賞した遊技球(Y)の流下経路(42)に配置され、流下する遊技球(Y)により作動される作動部(44)と、
前記遊技盤(10)の裏側に突出して、前記開閉部材(32,32)と連動して往復変位するレバー(38)の一面に相対して配置され、前記作動部(44)の作動により該レバー(38)を一方へ作動させる連動部(46)とからなり、
前記裏樋部材(16)の裏側に位置して前記リンク機構(40)を覆うカバー部材(18)に、前記リンク機構(40)の作動領域に対して固定手段(50,51)を進退可能に設け、該リンク機構(40)の作動領域に臨んだ固定手段(50,51)のリンク機構(40)への当接により該リンク機構(40)を前記連動部(46)が前記レバー(38)の一面に相対する姿勢で作動不能に固定するよう構成したことを特徴とする。
請求項１に係る発明によれば、必要に応じて、固定手段によりリンク機構を作動不能に固定し得るから、リンク機構や開閉部材が不用意に動作することはない。すなわち、リンク機構の連動部と開閉部材に連動するレバーとの配置関係を、所定の状態で保持することができる。
【０００７】
前記課題を克服し、所期の目的を達成するため、本願の請求項２に係る発明の遊技機は、
遊技盤(10)の遊技領域(10a)に設けた第１入賞装置(20)と、該遊技盤(10)の遊技領域(10a)に設けられ、対向する一対の羽根(32,32)の開閉により遊技球(Y)が入賞する入賞口(30a)を拡縮する第２入賞装置(30)と、遊技盤(10)の裏側に配設され、第１入賞装置(20)に入賞した遊技球(Y)の重量により作動して、第２入賞装置(30)の羽根(32,32)を開放するリンク機構(40)と、遊技盤(10)の裏側に配設され、各入賞装置(20,30)に入賞した遊技球(Y)を案内する流下経路(17)を画成した裏樋部材(16)とを備える遊技機において、
前記第２入賞装置(30)は、前記遊技盤(10)の裏側に突出し、前記一対の羽根(32,32)と連動して往復変位するレバー(38)を有し、
前記リンク機構(40)は、
前記第１入賞装置(20)に入賞した遊技球(Y)の流下経路(42)に配置され、流下する遊技球(Y)により作動される作動部(44)と、
前記第２入賞装置(30)におけるレバー(38)の一面に相対して配置され、前記作動部(44)の作動により該レバー(38)を一方へ作動させる連動部(46)とからなり、
前記裏樋部材(16)の裏側に位置して前記リンク機構(40)を覆うカバー部材(18)に、前記リンク機構(40)に対して当接する固定手段(50,51)を退避可能に設け、この固定手段(50,51)のリンク機構(40)への当接により該リンク機構(40)を前記連動部(46)が前記レバー(38)の一面に相対する姿勢で作動不能に固定するよう構成したことを特徴とする。
請求項２に係る発明によれば、必要に応じて、固定手段によりリンク機構を作動不能に固定し得るから、リンク機構や羽根が不用意に動作することはない。すなわち、リンク機構の連動部と第２入賞装置のレバーとの配置関係を、所定の状態で保持することができる。
【０００８】
請求項３に係る発明は、請求項１または２記載の遊技機において、
前記入賞口(30a)が、前記遊技領域(10a)に複数設けられると共に、各入賞口(30a)に対応して前記リンク機構(40)を夫々備え、これら複数のリンク機構(40,40)の作動部(44,44)に対して前記固定手段(50,51)を共通的に当接可能に配設される。
請求項３に係る発明によれば、一つの固定手段で複数のリンク機構を、共通的に作動不能に固定することが可能であるから、構成部材の増加を最小限に抑えることができる。また、一つの固定手段を進退させることで、複数のリンク機構を一度に作動不能またはその解除ができるから、作業性も向上し得る。
【０００９】
請求項４に係る発明は、請求項１〜３の何れかに記載の遊技機において、
前記リンク機構(40)は、前記裏樋部材(16)に組付けられるベース部材(41)に配設されている。
請求項４に係る発明によれば、リンク機構を構成する各部材を、ベース部材に共通的に配設したから、リンク機構の遊技盤への取付け作業性を向上し得る。
【発明の効果】
【００１０】
本発明に係る遊技機によれば、製造過程等の必要に応じて、固定手段によりリンク機構を作動不能に固定することで、リンク機構と羽根等の開閉部材に連動するレバーとの配置関係が入替わる不具合を回避し得るから、不良品の発生を防止し、後工程における検査や手直しの手間を軽減することができる。また、リンク機構を固定手段で固定することで、リンク機構や開閉部材が不用意に動作することはなく、他の組付け作業との干渉を回避して、作業性を向上し得る。
【発明を実施するための最良の形態】
【００１１】
次に、本発明に係る遊技機につき、好適な実施例を挙げて、添付図面を参照して以下に説明する。なお、遊技機において、遊技盤が略垂直に起立した通常の組付け状態のもとで、遊技者側に臨む側を前側とし、遊技盤を前側から臨んだ場合を基準として左右および上下方向を基本的に指称する。ここで、本発明の対象とする遊技機としては、入賞した遊技球により作動するリンク機構で入賞装置の羽根等の開閉部材を開閉動作させる構成を有するものであれば採用し得るが、特に普通機と呼ばれるものに適している。
【実施例】
【００１２】
図２は、実施例に係るパチンコ機(遊技機)の遊技盤１０を示す正面図であって、図１および図３は、遊技盤１０の裏面図である。遊技盤１０には、その前面に取着した略円形状に湾曲形成した案内レール１２により遊技領域１０ａが画成され、この遊技領域１０ａに複数の入賞装置２０,３０,６０,６２,６４,６６,６８が配設されている(図２参照)。一方、遊技盤１０の裏面(後面)には、制御基板(図示せず)や後述の球検出手段Ｓ等の各種部品の設置基体となると共に、入賞装置２０,３０,６０,６２,６４,６６,６８に入賞した遊技球Ｙを案内する流下経路としての球通路１７を遊技盤１０の裏面との間に形成する裏樋部材１６が配設されている(図１参照)。
【００１３】
実施例の遊技盤１０は、遊技領域１０ａの略中央部に配置した第１入賞装置(センター役物)２０と、第１入賞装置２０の両脇に離間配置した第２入賞装置３０,３０と、各第２入賞装置３０の下方に配置した第３入賞装置６０と、第１入賞装置２０の下方に離間して配置した第４入賞装置６２と、この第４入賞装置６２の下方に配置した第５入賞装置６４と、この第５入賞装置６４の両脇に離間配置した第６入賞装置６６,６６とを備えている(図２参照)。これらの入賞装置２０,３０,６０,６２,６４,６６は、何れも遊技領域１０ａから直接または間接的に遊技球Ｙの入賞を許容する入賞口２０ａ,３０ａ,６０ａ,６２ａ,６４ａ,６６ａを有している。また、各第３入賞装置６０の下方には、遊技領域１０ａに臨む普通入賞口６８ａを備える普通入賞装置６８が配設されている。なお、遊技領域１０ａの適宜位置には、風車とも称されて遊技球Ｙの流下方向を変更する案内車１３や、遊技状態に応じて照射パターンが変更制御される電飾装置１４等の各種遊技部品が配設される。そして、実施例の遊技盤１０では、遊技領域１０ａの略中央部に上下方向に並んだ第１入賞装置２０、第４入賞装置６２および第５入賞装置６４を挟んで、第２入賞装置３０、第３入賞装置６０、第６入賞装置６６、普通入賞装置６８、案内車１３および電飾装置１４等の遊技部品が左右対称に配設されている(図２参照)。
【００１４】
各入賞装置２０,３０,６０,６２,６４,６６,６８は、遊技盤１０の本体をなすベニヤ板１１に開設した開口１１ａに挿通して組付けられ、夫々の入賞口２０ａ,３０ａ,６０ａ,６２ａ,６４ａ,６６ａ,６８ａから遊技球Ｙを受入れて、この遊技球Ｙを内部画成した案内路２１,３１を介して遊技盤１０の裏側に導くように構成される(図８,９,１１,１２参照)。各入賞装置２０,３０,６０,６２,６４,６６,６８の案内路２１,３１は、裏樋部材１６の球通路１７に夫々接続し、この球通路１７により入賞装置２０,３０,６０,６２,６４,６６,６８に入賞した遊技球Ｙが、後述するリンク機構４０の作動部４４や他の入賞装置６０,６２,６４に誘導され、または排出されるようになっている。更に、入賞装置自体(実施例では普通入賞装置６８のみ)または入賞装置(実施例では第１〜第６入賞装置)の案内路２１,３１に対応的に接続する球通路１７には、球検出手段Ｓが設けられ、当該球検出手段Ｓによる遊技球Ｙの通過検出に基づいて、図示しない制御手段の制御下に所定数の賞球が払出されるようになっている。
【００１５】
第２〜第６入賞装置３０,６０,６２,６４,６６は、遊技領域１０ａに臨んで所定の動作可能に設けた羽根(開閉部材)３２,３２を有する所謂チューリップと呼ばれるものであって、この羽根３２,３２の開閉動作により入賞口３０ａ,６０ａ,６２ａ,６４ａ,６６ａの開放幅を拡縮可能に構成されている。遊技盤１０では、特定の入賞装置２０,３０,６２,６６についての遊技球Ｙの入賞により、対応する他の入賞装置３０,６０,６２,６４の羽根３２,３２を連動して開閉させることや入賞装置３０,６０,６２,６４,６６自体の羽根３２,３２を開閉させる所定の遊技動作を行なうよう構成される。ここで、遊技盤１０では、特定の入賞装置２０,３０,６２と対応する入賞装置３０,６０,６２,６４との連動関係について、モータやソレノイド等の電気部品を使用せず、遊技球Ｙの重量で作動する機械的な手段であるリンク機構４０または球通路１７を流下する遊技球Ｙを利用している。
【００１６】
実施例の第１入賞装置２０は、外郭を構成する枠体２２の内部に画成した入賞空間２３と、この入賞空間２３に動作可能に配設した演出部材２４と、入賞空間２３の下部に開口した第１入賞口２０ａおよびアウト口２０ｂとを備えている(図２参照)。第１入賞装置２０は、枠体２２の上部に開設した入賞開口２２ａを介して遊技領域１０ａから入賞空間２３に遊技球Ｙを受入れ、この遊技球Ｙが入賞空間２３を流下する過程で、演出部材２４が所定の演出動作(実施例では回転動作)を行なうよう構成される。そして、演出部材２４の回転動作により遊技球Ｙが予測不能な挙動を示しつつ流下し、入賞空間２３の下部において左右方向に所定間隔離間して設けた複数(実施例では３箇所)の第１入賞口２０ａまたは隣り合う第１入賞口２０ａ,２０ａの間に夫々設けたアウト口２０ｂの何れかに受容されるようになっている。
【００１７】
各第２入賞装置３０は、第２入賞口３０ａを挟んで左右方向に離間して揺動可能に対向配置した一対の羽根３２,３２と、この一対の羽根３２,３２を互いに接離する方向に揺動させる開閉機構３３とを備えている(図４,５,１１,１２参照)。この第２入賞装置３０は、第１入賞装置２０の第１入賞口２０ａに入賞した遊技球Ｙの重量で作動するリンク機構４０に開閉機構３３を連繋させて、一対の羽根３２,３２を開閉動作(実施例では開放)するように構成されている。一対の羽根３２,３２は、その下部を第２入賞装置３０における遊技球Ｙの案内路３１を画成する本体部分に軸支され、起立して互いに近接する第２入賞口３０ａの閉成状態(単に、閉成状態と云う)において、遊技球１個分だけの通過を許容し得る開放幅に第２入賞口３０ａを規定するように設定される。これに対して、一対の羽根３２,３２は、互いに離間する方向に回動して第２入賞口３０ａを拡開した開放状態(以下、単に開放状態と云う)において、遊技領域１０ａを流下する遊技球Ｙを羽根３２で案内して第２入賞口３０ａに誘導し得るようになっている。
【００１８】
前記開閉機構３３は、その前端部が一対の羽根３２,３２の下端部に臨むと共に、後端部が遊技盤１０の裏側に突出した状態で、枠状体３３ａに上下方向に揺動自在に軸支した揺動部材３４と、この揺動部材３４を所定の姿勢で保持する保持部材３６とから構成される(図１１または図１２参照)。揺動部材３４には、その後端部の一側(第１入賞装置２０に臨む側面)に、対応のリンク機構４０における後述する連動部４６に連繋可能なレバー３８が突設されている。また揺動部材３４は、枠状体３３ａに対し略水平に保持された第１姿勢において、その前端部が一対の羽根３２,３２の下端部内面に夫々当接して、両羽根３２,３２を閉成状態で保持するよう構成される(図４または図１１参照)。更に揺動部材３４は、第１姿勢から前端が上方に変位すると共に後端が下方に変位する傾斜した第２姿勢において、その前端部が一対の羽根３２,３２の下端部から上方へ退避するよう構成され、これらの羽根３２,３２が自重により支軸３２ａ,３２ａを中心として互いに離間する方向へ回動して開放状態となる(図５または図１２参照)。ここで揺動部材３４は、枠状体３３ａへの支持点を中心として前端部が自重により下がるように軸支され、第２入賞装置３０は、一対の羽根３２,３２の閉成状態が基本とされる。なお揺動部材３４は、レバー３８が枠状体３３ａに掛止して、第１姿勢が維持されるようになっている。
【００１９】
前記保持部材３６は、その上端部を揺動部材３４の上方において枠状体３３ａに対し揺動自在に軸支した側面視略くの字状の本体片３６ａと、この本体片３６ａの中間部位に設けられ、揺動部材３４に対し係脱可能に係合する支持片３６ｂと、本体片３６ａの下端において案内路３１に突出して設けられ、案内路３１を通過する遊技球Ｙに押動されて当該保持部材３６全体を揺動させる当接片３６ｃとを備えている(図１１および図１２参照)。保持部材３６は、揺動部材３４の第１姿勢において、支持片３６ｂが揺動部材３４の前端部上方に位置するよう構成されており、揺動部材３４は自重により第１姿勢が維持されている。このとき、一対の羽根３２,３２の閉成状態で第２入賞口２０ａから受容した遊技球Ｙと当接片３６ｃとの当接により保持部材３６が揺動しても、揺動部材３４は自重により第１姿勢を保ち、閉成状態が維持されるようになっている。また保持部材３６は、揺動部材３４の第２姿勢において、支持片３６ｂが揺動部材３４の前端部下方に位置するように構成され、自重により下方変位しようとする揺動部材３４の前端部を支持して、揺動部材３４の第２姿勢を維持するよう構成される。
【００２０】
前記保持部材３６は、第１姿勢となっている揺動部材３４の後端部が下方変位すると、支持片３６ｂと揺動部材３４との当接により一方(後方)に揺動して揺動部材３４の上方から退避して、揺動部材３４における前端部の上方変位が許容される。また、揺動部材３４が第２姿勢に至ると、支持片３６ｂと揺動部材３４との当接が解除されて、保持部材３６が前方に揺動して揺動部材３４を支持片３６ｂにより下方から支持するようになっている。そして、揺動部材３４の第２姿勢において、遊技球Ｙの流下により当接片３６ｃが後方に押動されると、保持部材３６が後方に揺動して支持片３６ｂが揺動部材３４の下方から退避して、揺動部材３４における前端部の下方変位が許容される。ここで、第２入賞装置３０では、揺動部材３４における後端部の下方変位(一対の羽根３２,３２の開放)は、当該後端部に設けたレバー３８を、リンク機構４０の連動部４６で行なう構成となっている。一方、第２入賞装置３０は、開放状態の第２入賞口３０ａから遊技球Ｙが入賞すると、揺動部材３４の保持部材３６による支持状態が解除されて揺動部材３４が揺動し、一対の羽根３２,３２を閉成するよう構成される。このように、レバー３８は、揺動部材３４の揺動により往復変位し、第１姿勢においてレバー３８を下方変位させることで揺動部材３４を揺動することは可能であるが、第２姿勢においてレバー３８を上方変位させることはできない。なお、開閉機構３３を構成する各部材３４,３６は、枠状体３３ａに共通的に配設されてユニットとして取扱い得ると共に、この開閉機構３３は前述した本体部分に配設されて、第２入賞装置３０全体として遊技盤１０と独立してユニットとして取扱い可能となっている。
【００２１】
前記裏樋部材１６の後面には、遊技領域１０ａに左右対称に設けた一対の第２入賞装置３０,３０に対応して、一対のリンク機構４０,４０が配設されている。各リンク機構４０を構成する部材は、板状のベース部材４１に共通的に配設され、実施例では一対のリンク機構４０,４０を共通のベース部材４１に配設し、このベース部材４１を裏樋部材１６に対し着脱可能に取付けるよう構成される。ベース部材４１には、第１入賞装置２０の各案内路２１の後側に接続する球通路１７に対応して前側に開放した誘導路４２が夫々形成され、各誘導路４２は、その上部に接続する案内路２１(球通路１７)から受入れた遊技球Ｙを、下部に対応的に接続した球通路１７に誘導するように構成される(図８および図９参照)。
【００２２】
実施例のベース部材４１には、前記入賞空間２３の下部中央に開口する第１入賞口(特に区別するときは中央第１入賞口と云う)２０ａに連通する球通路１７に接続して中央誘導路４２ａが形成され、中央第１入賞口２０ａの側方に夫々離間して開口する第１入賞口(特に区別するときは側方第１入賞口と云う)２０ａ,２０ａに連通する球通路１７に接続して側方誘導路４２ｂ,４２ｂが対応的に形成される。各誘導路４２ａ,４２ｂは、ベース部材４１においてリンク機構４０の配設部位より後方に突出して、前側に開口する矩形状に画成された空間であって、誘導路４２ａ,４２ｂの側方を画成する両側部４１ａ,４１ａには、リンク機構４０の後述する作動片４３の挿通および上下変位を許容する挿通口４１ｂが開設されている。そして、ベース部材４１の裏面には、前側に開口する箱状のカバー部材１８が、一対のリンク機構４０,４０を覆って着脱自在に組付けられている。
【００２３】
前記一対のリンク機構４０,４０は、中央第１入賞口２０ａを挟んで対称な構成であるから、右側のリンク機構４０について、図４および図５を参照して具体的に説明する。なお、図４および図５に示すリンク機構は、遊技盤の裏面側から臨んでいるので、図４および図５における左右方向と本実施例での左右方向は反対になっている。
【００２４】
前記リンク機構４０は、作動片４３と、連動片４５と、作動片４３および連動片４５を連結する連結部材４７とから基本的に構成され、これらの部材が裏樋部材１６において第１入賞装置２０の下方から側方にかけて略Ｌ字状に配置されている(図４および図５参照)。またリンク機構４０は、第１入賞装置２０に入賞した遊技球Ｙの流下経路となる誘導路４２に配置され、流下する遊技球Ｙにより作動する作動部４４と、第２入賞装置３０におけるレバー３８の上面(一面)に相対して配置され、作動部４４の作動により該レバー３８を下方(一方)へ作動させる連動部４６とを備えている。
【００２５】
前記作動部４４は、裏樋部材１６における第１入賞装置２０の下方に、略中央部から右側にかけて左右方向に延在配置した作動片４３に設けられ、この作動片４３は、その右端部に偏倚した部位がベース部材４１に対し揺動可能に軸支されている。作動片４３は、各誘導路４２を画成するベース部材４１における側部４１ａの挿通口４１ｂに挿通して、誘導路４２において左右方向に延在するよう構成され、中央誘導路４２ａに臨む左端部に設けた第１作動部４４Ａおよび側方誘導路４２ｂに臨む中間部位に設けた第２作動部４４Ｂを備えている。すなわち作動片４３は、誘導路４２を流下する遊技球Ｙを第１または第２作動部４４Ａ,４４Ｂで受けることで作動し、支軸を中心として左端部が下方変位すると共に右端部は上方変位するように揺動される。なお各作動部４４Ａ,４４Ｂには、作動片４３の上面において前後方向に交差して延在し、流下する遊技球Ｙの当接部分として機能する受け片４４ａと、この受け片４４ａの上面に立設されて、前側から後側に向かうにつれて上方傾斜し、作動片４３を下方変位させた遊技球Ｙを誘導路４２の下部に接続する裏樋部材１６の球通路１７に導く案内片４４ｂとが形成されている(図８または図９参照)。
【００２６】
前記連結部材４７は、右端部をベース部材４１に揺動自在に軸支して左右方向に延在する第１連結片４７ａと、下端を第１連結片４７ａの中間部に接続すると共に、上下方向に延在して、上端を連動片４５の左端部に接続した第２連結片４７ｂとから構成される。第１連結片４７ａには、その中間下部に作動片４３の右端部が連結され、作動部４４の下方変位に伴って上方変位する作動片４３の右端部に連動して、該第１連結片４７ａが支軸を中心として揺動することで、第２連結片４７ｂを上方変位させるようになっている。また、第１連結片４７ａの左端部には、常に当該左端部を下方へ向けて付勢するウェイト４８が配設される。また連動片４５は、その中間部をベース部材４１に対し揺動可能に軸支して、左右方向に延在する部材であって、右端部に連動部４６が設けられると共に、左端部に接続した第２連結片４７ｂの上下動に従って支軸を中心として揺動するよう構成される。そして連動部４６は、第２入賞装置３０のレバー３８の上面に相対して位置し、連動部４６が上側で、かつレバー３８が下側に位置する配置関係となっている。なお、実施例のリンク機構４０では、合成樹脂材料からなる作動片４３、連結部材４７および連動片４５に対し、連動部４６は金属材料からなるものが採用されている。
【００２７】
前記リンク機構４０は、常にはウェイト４８の重量により連動部４６が第２入賞装置３０のレバー３８における可動範囲から退避した上方に位置する通常姿勢になっている。またリンク機構４０は、第１作動部４４Ａまたは第２作動部４４Ｂが遊技球Ｙの重量により作動すると、該レバー３８に向けて連動部４６が下方変位する入賞姿勢となるように構成され、レバー３８に当接して該レバー３８を下方変位させるようになっている。そして、遊技球Ｙが作動部４４Ａ,４４Ｂから離れると、ウェイト４８の重量により連動部４６が第２入賞装置３０のレバー３８から退避する上方へ変位して、レバー３８における可動範囲から退避した上方に再び位置して、通常姿勢に移行するよう構成される。このように、左右対称に配置したリンク機構４０,４０は、作動片４３の互いに向い合う端部に設けた第１作動部４４Ａ,４４Ａが、遊技球Ｙの流下経路を構成する中央誘導路４２ａに集合配置され、中央誘導路４２ａを流下する遊技球Ｙにより左右のリンク機構４０,４０が同時に作動するようになっている。すなわち、中央第１入賞口２０ａに入賞すると、左右の連動部４６,４６が同期して下方変位して対応のレバー３８,３８を押下げて、左右の第２入賞装置３０,３０の羽根３２,３２が開放状態に移行するよう構成される。
【００２８】
前記カバー部材１８には、リンク機構４０,４０に対して退避可能に当接する固定部材(固定手段)５０が設けられ、パチンコ機の製造時または運搬時に、固定部材５０をリンク機構４０,４０に当接させて、各連動部４６がレバー３８の上面に相対する姿勢でリンク機構４０,４０を作動不能に固定し得るよう構成されている。実施例では、カバー部材１８の略中央部において、一対のリンク機構４０,４０における作動片４３,４３の下側に固定部材５０が設けられ、両作動片４３,４３の揺動範囲から下方に退避した退避位置(図６参照)と、両作動片４３,４３に当接する固定位置(図７参照)との間を移動するよう構成される。
【００２９】
前記固定部材５０は、両作動片４３,４３の下面に臨む下板５２の上面に、左右方向に所定間隔離間して立設した一対の側板５４,５４と、上下方向に延在し、両側板５４,５４の後部と隙間を空けた状態で下板５２の後部に連設した後板５６とからなる例えば合成樹脂の一体成形品である(図１０参照)。固定部材５０は、一対の側板５４,５４の後部と後板５６との間に、カバー部材１８における両リンク機構４０,４０を覆ってベース部材４１の後側に延在する裏板を挟持して、上下方向にスライド可能に配設されている。また固定部材５０は、上方にスライド変位した固定位置において、両側板５４,５４がベース部材４１における中央誘導路４２ａを画成する両側部４１ａ,４１ａを挟むように位置し、これら両側部４１ａ,４１ａにより固定部材５０の左右方向への移動が規制される。このとき、各側板５４の上面が対応の作動片４３の下面に当接するように形成され、一つの固定部材５０により両作動片４３,４３の下方変位を共通的に規制して、両リンク機構４０,４０を通常姿勢で保持し得るようになっている。一方、固定部材５０は、下方にスライド変位した退避位置において、各側板５４の上部が作動片４３から下方に所定間隔離間して、遊技球Ｙによるリンク機構４０,４０の作動を許容するよう構成される。なお、固定部材５０は、パチンコ機の遊技状態では退避位置に設定され、リンク機構４０,４０による第１入賞装置２０と第２入賞装置３０,３０の連繋動作を許容するようになっている。
【００３０】
前記固定部材５０の後板５６には、上下方向(固定部材５０の移動方向)に離間して一対の孔部５６ａ,５６ａが開設されている。固定部材５０は、退避位置において、カバー部材１８における裏板の裏面に設けた突起１８ａを上側の孔部５６ａに係合して位置規制すると共に、固定位置において、突起１８ａを下側の孔部５６ａに係合して位置規制するよう構成される。また固定部材５０には、下板５２と後板５６との連設部分に湾曲部５２ａが設けられると共に、後板５６の上部に後方に突出するフランジ５６ｂが設けられ、固定部材５０の移動に際して後板５６の撓曲変形を容易にして、固定部材５０のスライド移動を補助している。
【００３１】
第３〜第５入賞装置６０,６２,６４は、基本的に第２入賞装置３０と同様の構成であって、何れも一対の羽根３２,３２と、これらの羽根３２,３２を開閉する開閉機構３３を備えている。第３入賞装置６０は、第２入賞装置３０の第２入賞口３０ａに連通する裏樋部材１６の球通路１７の途中に、開閉機構３３における揺動部材３４の後端部が臨み、第２入賞口３０ａから入賞して当該球通路１７を流下する遊技球Ｙにより、揺動部材３４を作動させて両羽根３２,３２を開放するよう構成される。第４入賞装置６２は、第１入賞装置２０の中央第１入賞口２０ａに連通する裏樋部材１６の球通路１７の途中に、開閉機構３３における揺動部材３４の後端部が臨み、中央第１入賞口２０ａから入賞して当該球通路１７を流下する遊技球Ｙにより、揺動部材３４を作動させて両羽根３２,３２を開放するよう構成される。第５入賞装置６４は、第４入賞装置６２の第４入賞口６２ａに連通する裏樋部材１６の球通路１７の途中に、開閉機構３３における揺動部材３４の後端部が臨み、第４入賞口６２ａから入賞して当該球通路１７を流下する遊技球Ｙにより、揺動部材３４を作動させて両羽根３２,３２を開放するよう構成される。そして、第３〜第５入賞装置６０,６２,６４は、開放状態にある入賞口６０ａ,６２ａ,６４ａから遊技球Ｙが入賞すると、入賞した入賞装置６０,６２,６４の両羽根３２,３２が閉成される。また第６入賞装置６６は、両羽根３２,３２を独立して開閉するよう構成され、閉成状態において第６入賞口６６ａから遊技球Ｙが入賞すると、両羽根３２,３２を開放し、開放状態において第６入賞口６６ａから遊技球Ｙが入賞すると、両羽根３２,３２を閉成するよう構成される。
【００３２】
〔実施例の作用〕
次に、実施例に係るパチンコ機の作用について説明する。一対のリンク機構４０,４０は、その構成部材をベース部材４１に共通的に配設し、固定部材５０を配設したカバー部材１８もベース部材４１に配設してあるから、これらの部材を一つのユニットとして共通的に取扱うことができ、裏樋部材１６に対する取付け作業性を向上し得る。この状態において、固定部材５０を固定位置に位置させると、固定部材５０の各側板５４が対応の作動片４３の下面に当接して当該作動片４３の下方変位を規制するから、各リンク機構４０は全体として作動不能となって、通常姿勢に維持される。すなわち、一対のリンク機構４０,４０を通常姿勢に保ったまま、遊技盤１０に配設した裏樋部材１６に取付けることが可能である。この際、固定部材５０は、カバー部材１８の中央部に配設されて、左右対称な一対のリンク機構４０,４０におけるカバー部材１８の中央部において対向する作動片４３,４３の端部に共通的に当接するよう構成してあるから、複数のリンク機構４０,４０を一つの固定部材５０で作動不能に規制することが可能であり、リンク機構４０の固定に要する固定部材５０の数を最小限とし得る。また、一つの固定部材５０を進退させることで、複数のリンク機構４０,４０を一度に作動不能またはその解除ができるから、リンク機構４０,４０の姿勢を保持するために要する手間も軽減し得る。
【００３３】
ここで、第２入賞装置３０が遊技盤１０に既に取付けられている場合、当該入賞装置３０の開閉機構３３が何れの状態であっても、対応のリンク機構４０が通常姿勢を保ったまま取付けることができるから、第２入賞装置３０のレバー３８の可動範囲より上方に連動部４６を必ず配置することができる。また、リンク機構４０を先に取付けた場合であっても、リンク機構４０を固定部材５０により通常姿勢で作動不能に固定しておくことで、第２入賞装置３０のレバー３８の上下位置にかかわらず、リンク機構４０の連動部４６と干渉することはなく、レバー３８の可動範囲より上方に連動部４６を必ず配置することができる。すなわち、固定部材５０により固定したリンク機構４０の連動部４６は、第２入賞装置３０のレバー３８に対し、遊技球Ｙによる作動部４４の作動に伴う連動部４６の変位方向にレバー３８が臨む配置関係となる。そして、固定部材５０を退避位置に移動してリンク機構４０をフリーな状態とすることで、リンク機構４０と第２入賞装置３０の羽根３２,３２は適切に連係される。このように、製造過程等の必要に応じて、固定部材５０によりリンク機構４０を作動不能に固定することで、リンク機構４０と第２入賞装置３０のレバー３８との配置関係が入替わる不具合を回避し得るから、不良品の発生を防止し、後工程における検査や手直しの手間を軽減することができる。
【００３４】
しかも、リンク機構４０を固定部材５０で固定した状態で、遊技盤１０に対し他の部材を組付けることで、リンク機構４０や羽根３２,３２が不用意に動作することはなく、リンク機構４０や羽根３２,３２と他の部材との干渉または他の組付け作業自体との干渉を回避し、作業性を向上し得る。また、遊技盤１０の運搬に際し、リンク機構４０を固定部材５０で作動不能に固定することで、運搬時の振動等によってリンク機構４０ががたつくことはなく、羽根３２,３２の不用意な開閉を回避し得る。
【００３５】
前記固定部材５０は、カバー部材１８の突起１８ａと孔部５６ａとの係合作用により位置決めし得るから、固定位置においてリンク機構４０を通常姿勢で適切に固定し得ると共に、退避位置において固定部材５０のカバー部材１８からの脱落を防止し得る。
【００３６】
次に、本実施例のパチンコ機の遊技動作について簡単に説明する。なお、第２〜第６入賞装置３０,６０,６２,６４,６６において、一対の羽根３２,３２は閉成状態にあるものとする。遊技領域１０ａに打ち出された遊技球Ｙが、第１入賞装置２０の中央第１入賞口２０ａに入賞すると、中央誘導路４２ａに延出する両リンク機構４０,４０の第１作動部４４Ａ,４４Ａを押し退けて流下する過程で、両リンク機構４０,４０が入賞姿勢に変位し、これに連係して左右両方の第２入賞装置３０,３０の開閉機構３３,３３を作動させ、各第２入賞装置３０の一対の羽根３２,３２が開放される。また、第１作動部４４Ａ,４４Ｂを作動した後、中央誘導路４２ａから球通路１７に流下した遊技球Ｙは、当該球通路１７に臨む第４入賞装置６２における開閉機構３３を作動して、当該入賞装置６２の羽根３２,３２が開放される。一方、第１入賞装置２０の右側方第１入賞口２０ａに遊技球Ｙが入賞すると、右側方誘導路４２ｂに延在する右側のリンク機構４０の第２作動部４４Ｂを押し退けて流下する過程で、右側のリンク機構４０のみが入賞姿勢に変位し、これに連係して右側の第２入賞装置３０の開閉機構３３を作動させ、当該入賞装置３０の一対の羽根３２,３２が開放される。同様に、第１入賞装置２０の左側方第１入賞口２０ａに遊技球Ｙが入賞すると、左側方誘導路４２ｂに延在する左側のリンク機構４０の第２作動部４４Ｂを押し退けて流下する過程で、左側のリンク機構４０のみが入賞姿勢に変位し、これに連係して左側の第２入賞装置３０の開閉機構３３を作動させ、当該入賞装置３０の一対の羽根３２,３２が開放される。
【００３７】
このように開放状態に移行した第２または第４入賞装置３０,６２は、当該入賞装置３０,６２に遊技球Ｙが入賞すると、開閉機構３３が逆作動することで入賞した入賞装置３０,６２の羽根３２,３２が閉成される。また、第２または第４入賞装置３０,６２から球通路１７に流下した遊技球Ｙは、当該入賞装置３０,６２の下方に対応的に配置された第３または第５入賞装置６０,６４の開閉機構３３を作動することで、当該入賞装置６０,６４の羽根３２,３２が開放される。そして、開放状態に移行した第３または第５入賞装置６０,６４は、当該入賞装置６０,６４に遊技球Ｙが入賞すると、各開閉機構３３が逆作動することで入賞した入賞装置６０,６４の羽根３２,３２が閉成される。これに対して、第６入賞装置６６は、他の入賞装置２０,３０,６０,６２,６４とは連係しておらず、閉成状態において遊技球Ｙが入賞した時は、羽根３２,３２を開放し、開放状態において遊技球Ｙが入賞した時は、羽根３２,３２が閉成される。そして、入賞装置２０,３０,６０,６２,６４,６６への入賞に合わせて、球検出手段Ｓの球検出により所定の賞球が払出されると共に、電飾装置１４,１４等による演出も行なわれる。
【００３８】
(変更例)
実施例の固定部材５０は、リンク機構４０から離間した退避位置では、特に機能を有していないが、図１３に示す変更例の固定部材(固定手段)５１の如く、少なくとも退避位置において遊技球Ｙの流下経路の一部を構成するよう形成してもよい。固定部材５１は、その両側板５４,５４で流下経路をなす中央誘導路４２ａを挟むように構成され、退避位置において両側板５４,５４が中央誘導路４２ａの側方に開設した挿通口４１ｂ,４１ｂの一部を覆うようになっている。すなわち、中央誘導路４２ａを流下する遊技球Ｙは、各側板５４に阻まれて挿通口４１ｂから流出することなく、中央誘導路４２ａの下部に接続する球通路１７に流下する。このように、固定部材５１は、退避位置においても中央誘導路４２ａを画成するように機能するから、中央誘導路４２ａを構成するベース部材４１を簡略化することができる。なお、変更例の固定部材５１および遊技盤１０の構成は、実施例の構成と基本的に同じであるので、図１３において同一の部材には同一の符号を付してある。
【００３９】
更に、実施例および変更例を以下のように変更することも可能である。
(１)一対のリンク機構を備える構成について説明したが、１つまたは３以上のリンク機構を備える構成であってもよい。
(２)実施例では、カバー部材を裏樋部材と別体に構成したが、カバー部材を裏樋部材と一体成形してもよい。
(３)裏樋部材にリンク機構を直接取付ける構成も採用し得る。
(４)実施例では、複数のリンク機構を１つの固定手段で作動不能に固定する構成であるが、各リンク機構に対応して固定手段を夫々設けてもよい。
(５)実施例では、固定位置において固定部材がリンク機構に当接する構成であって、確実なリンク機構の固定が図られているが、固定位置において、固定部材をリンク機構の作動領域に臨ませる構成であってもよい。この場合、固定部材は、リンク機構の作動領域に対して進退可能に設けられ、リンク機構の作動領域に臨んだ固定部材にリンク機構が当接することで、リンク機構が所定位置(連動部がレバーを変位させない程度)までしか作動することができないよう規制される。すなわち、固定部材のリンク機構への当接により、リンク機構を連動部がレバーの一面に相対する姿勢で作動不能に固定し得る。
(６)実施例では、第１入賞装置の第１入賞口に遊技球が入賞すると作動するリンク機構により、第２入賞装置における第２入賞口の両羽根を開放するよう構成したが、入賞口に遊技球が入賞すると作動するリンク機構により、入賞した入賞口自身の羽根を開閉動作させる構成も採用し得る。
(７)実施例では、遊技盤の裏側に設けられる流下経路を、ベース部材の誘導路と裏樋部材の球通路とから構成し、該誘導路に作動部を配置したが、これに限定されず、入賞装置の案内路に接続する球通路に作動部を配置する構成も採用し得る。この場合、ベース部材の誘導路は必須ではなく、例えば裏樋部材の裏側に配設した作動片の作動部に対応する位置に、該裏樋部材に連通する開口部を開設し、この開口部を介して作動片を球通路に臨ませる構成等が用いられる。
(８)実施例では、開閉部材としてチューリップ型の入賞装置における羽根を例に挙げたが、例えば入賞装置の入賞口を前後方向に傾動することで開閉する蓋であってもよい。
【００４０】
(付記１)
前記固定手段(51)は、少なくとも前記リンク機構(40)から離間した退避時に、前記入賞口(20a)に連通した流下経路(42)を画成する壁の一部を構成している請求項１〜４の何れかに記載の遊技機。
付記１に係る発明によれば、固定手段が、リンク機構から離間した退避時に、入賞口の流下経路を画成する壁の一部を構成するから、流下経路を簡略化することができ、コストを低減し得る。
【００４１】
(付記２)
前記固定手段(50,51)は、移動方向に離間して一対の孔部(56a,56a)を備え、該孔部(56a)を前記カバー部材(18)に突設した突起(18a)に係脱自在に係合させて、該リンク機構(40)に当接する位置またはリンク機構(40)から離間した退避する位置に保持される請求項１〜３,付記１の何れかに記載の遊技機。
付記２に係る発明によれば、固定手段を、リンク機構に当接した位置またはリンク機構から離間した退避した位置に、固定手段の孔部とカバー部材の突片との係合により適切に保持することができる。
【図面の簡単な説明】
【００４２】
【図１】本発明の好適な実施例に係るパチンコ機の遊技盤を示す裏面図であって、リンク機構が作動していない状態を表わす。
【図２】実施例の遊技盤を示す正面図である。
【図３】実施例の遊技盤を示す裏面図であって、リンク機構が作動した状態を表わす。
【図４】実施例のリンク機構と第２入賞装置の連繋関係を、遊技盤の裏面から示す概略図であって、リンク機構が作動していない状態を表わす。
【図５】実施例のリンク機構と第２入賞装置の連繋関係を、遊技盤の裏面から示す概略図であって、リンク機構が作動した状態を表わす。
【図６】実施例の遊技盤の要部を拡大して示す裏面図であって、固定手段をリンク機構から退避した状態を表わす。
【図７】実施例の遊技盤の要部を拡大して示す裏面図であって、固定手段でリンク機構を固定した状態を表わす。
【図８】図６のＡ−Ａ線断面図である。
【図９】図７のＡ−Ａ線断面図である。
【図１０】実施例の固定手段を示す概略斜視図である。
【図１１】実施例の第２入賞装置を一部切り欠いて示す側面図であって、羽根の閉成状態を表わす。
【図１２】実施例の第２入賞装置を一部切り欠いて示す側面図であって、羽根の開放状態を表わす。
【図１３】変更例の遊技盤の要部を拡大して示す側断面図であって、固定手段をリンク機構から退避した状態を表す。
【符号の説明】
【００４３】
１０ 遊技盤
１０ａ 遊技領域
１６ 裏樋部材
１７ 球通路(流下経路)
１８ カバー部材
２０ 第１入賞装置
２０ａ 第１入賞口(入賞口)
３０ 第２入賞装置
３０ａ 第２入賞口(入賞口)
３２ 羽根(開閉部材)
３８ レバー
４０ リンク機構
４１ ベース部材
４２ 誘導路(流下経路)
４４ 作動部
４６ 連動部
５０ 固定部材(固定手段)
５１ 固定部材(固定手段)
Ｙ 遊技球
【図１】
2007252633.tif 000003
【図２】
2007252633.tif 000004
【図３】
2007252633.tif 000005
【図４】
2007252633.tif 000006
【図５】
2007252633.tif 000007
【図６】
2007252633.tif 000008
【図７】
2007252633.tif 000009
【図８】
2007252633.tif 000010
【図９】
2007252633.tif 000011
【図１０】
2007252633.tif 000012
【図１１】
2007252633.tif 000013
【図１２】
2007252633.tif 000014
【図１３】
2007252633.tif 000015